(57)【要約】【課題】インクジェットプリンタのフラットベッド上に位置決め固定して印刷可能なサイズの織地、編地等の被印刷物に印刷を施すに際して、被印刷物にたるみ等が生ぜずに、鮮明で正確な印刷が可能となると共に、同じサイズの被印刷物を新たに印刷する場合、その都度、フラットベッド上に被印刷物の位置決めをする必要がなく、作業能率の向上を図ることを可能とした被印刷物固定具とする。【解決手段】インクジェットプリンタ１のフラットベッド２上に被印刷物３を固定して設置するための被印刷物固定具であって、被印刷物固定具はフラットベッド２上に被印刷物３が位置決めして置かれる箇所に位置決めして設置される方形のフラットな台板４と、台板４の外側に嵌合し、台板４より高さが低く形成された方形の枠体５から構成する。枠体５の対向する枠板８に被印刷物３の両端部を着脱可能に取り付けると共に、枠体５を台板４に着脱可能に係止具６で固定する。被印刷物３は枠体５の台板４への嵌合時に、台板４により張力を付与され、台板４の上面で緊張する。【選択図】図４
2005022845.tif 000002
【特許請求の範囲】
【請求項１】
インクジェットプリンタのフラットベッド上に被印刷物を固定して設置するための被印刷物固定具であって、この被印刷物固定具はフラットベッド上に被印刷物が位置決めして置かれる箇所に位置決めして設置される方形のフラットな台板と、この台板の外側に嵌合し台板より高さが低く形成された方形の枠体から構成され、前記枠体の対向する枠板に被印刷物の両端部が着脱可能に取り付けられると共に、枠体は台板に着脱可能に係止具で固定され、被印刷物は枠体の台板への嵌合時に、台板より張力を付与され、台板の上面で緊張することを特徴とするインクジェットプリンタの被印刷物の固定具。
【請求項２】
枠体の一方の面の、一方の対向する枠板に、テープ形状の被印刷物の両端部が嵌合する複数の溝が枠板の長手方向に直交して一定の間隔をおいて対向して両側に設けられ、この溝内に針が突設されていることを特徴とする請求項１記載のインクジェットプリンタの被印刷物固定具。
【請求項３】
枠体の一方の面の、一方の対向する枠板の長手方向に亘ってフラットな凹面が形成され、この凹面に所定の間隔をおいて針が対向して両側に突設されていることを特徴とする請求項１記載のインクジェットプリンタの被印刷物固定具。
【発明の詳細な説明】
【０００１】
【発明の属する技術分野】
本発明は、フラットベッドタイプのインクジェットプリンタのフラットベッド上に位置決め固定して印刷可能なサイズの織地、編地等の被印刷物に印刷を施す時に、フラットベッド上に被印刷物を固定して設置するための被印刷物固定具に関するものである。
【０００２】
【従来の技術】
インクジェットプリンタはカラー化が容易で色ずれが少なく、色彩も鮮明で細かい絵柄も表出可能であるが、被印刷物にたるみ等が生じた場合は、印刷された絵柄が製品の状態で乱れるという問題点を有していた。
そこで、この問題点を解決するため、従来、特開２０００−７１９９公報に長尺帯状物の処理装置が提案されている。
この装着は、被印刷物である長尺帯状物は間欠搬送されるもので、インクジェットプリンタ等に複数本掛けされた長尺帯状物を、各々最適な張力で正確に送るものである
【０００３】
しかし、被印刷物をインクジェットプリンタのフラットベッド上に固定するフラットベッドタイプのものは、フラットベッド上に位置決め固定した印刷可能なサイズの被印刷物を位置決めし、被印刷物の端部を接着用テープ等でフラットベッド上に固定し印刷しているのである。
【０００４】
そして、被印刷物が織地、編地等でテープ形状の場合は、フラットベッド上の所定の位置に複数本、同一長さの被印刷物を一定の間隔をおいて並列し、各々の被印刷物の両端部をそれぞれ接着用テープ等で固定している。
そのため、被印刷物にたるみが生じたり、各々の被印刷物でたるみや突っ張りの状態が異なって、細かい絵柄が正確に印刷できず、不揃いになる問題点があるが、これに関して従来は対策が全く講じられていなかったのである。
【０００５】
又、被印刷物を並列する時も間隔を測らなければならないと共に、印刷終了後に同じ被印刷物を新たに印刷する場合は、その都度、フラットベッド上に被印刷物の位置決めをしなければならない煩わしさがあったのである。
【０００６】
【発明が解決しようとする課題】
上記点より本発明は、インクジェットプリンタのフラットベッド上に位置決め固定して印刷可能なサイズの織地、編地等の被印刷物に印刷を施すに際して、被印刷物にたるみ等が生ぜずに、鮮明で正確な印刷が可能になると共に、同じサイズの被印刷物を新たに印刷する場合、その都度、フラットベッド上に被印刷物の位置決めをする必要がなく、作業能率の向上を測ることを可能としたインクジェットプリンタの被印刷物固定具を提供しようとするものである。
【０００７】
【課題を解決するための手段】
上記課題を解決するため請求項１記載の本発明インクジェットプリンタの被印刷物固定具は、インクジェットプリンタのフラットベッド上に被印刷物を固定して設置するための被印刷物固定具であって、この被印刷物固定具はフラットベッド上に被印刷物が位置決めして置かれる箇所に位置決めして設置される方形のフラットな台板と、この台板の外側に嵌合し台板より高さが低く形成された方形の枠体から構成され、前記枠体の対向する枠板に被印刷物の両端部が着脱可能に取り付けられると共に、枠体は台板に着脱可能に係止具で固定され、被印刷物は枠体の台板への嵌合時に、台板より張力を付与され、台板の上面で緊張することを特徴とするものである。
【０００８】
このような構成とすることにより、印刷に際して台板をフラットベッド上の被印刷物が位置決めして置かれる箇所に位置決めして設置すると共に、枠板に被印刷物の両端部を固定し、この枠体をフラットベッド上に設置された台板の外側に上部から嵌合し、係止具で枠体を台板に固定すれば、被印刷物は台板の上面に当接するが、台板の方が枠体よりも高くなっているので、被印刷物は台板の存在により下方から押し上げられて固定された両端部の方向へ引っ張られ、張力を付与されるので台板の上面に緊張状態で当接し、たるみが生ずることはない。
したがって、印刷時にプリントヘッドを被印刷物に近接でき、鮮明で正確な印刷が可能である。
又、印刷終了後、同じサイズの被印刷物を新たに印刷する場合、台板はそのままフラットベッド上に設置しておけば、再度被印刷物の位置決めをする必要がなく、新たに被印刷物を取り付けた枠体を台板に嵌合するだけでよい。
【０００９】
次に、請求項２記載の本発明インクジェットプリンタの被印刷物固定具は、請求項１のインクジェットプリンタにおいて、枠体の一方の面の、一方の対向する枠板に、テープ形状の被印刷物の両端部が嵌合する複数の溝が枠板の長手方向に直交して一定の間隔をおいて対向して両側に設けられ、この溝内に針が突設されていることを特徴とするものである。
【００１０】
このような構成とすることにより、テープ形状の各々の被印刷物の両端部を枠体の対向する枠板の溝内に嵌合すれば、溝内に針が突設されているので、各々の被印刷物の両端部は針に刺さって固定される。又、枠体の台板への嵌合は溝の面が下面となるようにして行う。
これにより、請求項１の機能に加え、複数本のテープ形状の被印刷物は、各々が同一の大きさの張力を付与されるので同一状態で緊張し、印刷された製品が不揃いになることが防止される。
【００１１】
又、被印刷物の枠体への固定は、被印刷物の両端部を針に刺すだけであり、取り外しも針から外すだけであるから簡単に行える。
そして、被印刷物の両端部は溝内に嵌合されるため、被印刷物は巾方向へズレることがない。
【００１２】
次に、請求項３記載の本発明インクジェットプリンタの被印刷物固定具は、請求項１のインクジェットプリンタにおいて、枠体の一方の面の、一方の対向する枠板の長手方向に亘ってフラットな凹面が形成され、この凹面に所定の間隔をおいて針が対向して両側に突設されていることを特徴とするものである。
【００１３】
このような構成とすることにより、被印刷物の両端部を枠体の対向する枠板の凹面に対向して両側に設けた針に刺すだけで簡単に被印刷物の両端部は枠体に固定される。
又、取り外しも針から外すだけであるから簡単に行える。又、枠体の台板への嵌合は凹面が下面となるようにして行う。これにより、請求項１と同様の機能を有する。
【００１４】
又、この場合、被印刷物は方形でもテープ形状のものでもよく、テープ形状の被印刷物の場合は、請求項２と同様に、各々の被印刷物が同一の大きさの張力を付与される。
【００１５】
【発明の実施の形態】
以下、本発明の一実施の形態を図面に基づき説明する。
図１は本発明インクジェットプリンタの被印刷物固定具の一実施の形態を示す斜視図、図２は被印刷物を取り付けた枠体の下面側の斜視図、図３は図２の一部省略した拡大断面図、図４は枠体を台板に固定した斜視図、図５は本発明をインクジェットプリンタに設置した斜視図である。
【００１６】
本発明固定具は、フラットベッドタイプのインクジェットプリンタ１のプリントヘッド（図示せず）の移動方向と直交する方向に移動するフラットベッド２上に、被印刷物３を固定して設置するためのものであって、台板４とこの台板４より高さが低く、台板４の外側に嵌合する枠体５から成っている。
台板４は方形で、上面及び下面がフラットに形成され、一方の対向する側壁４ａの両端部付近に係止具６が設けられている。
【００１７】
又、台板４はフラットベッド２上で被印刷物３が位置決めして置かれる箇所に位置決めして設置されるが、位置がズレないよう両面接着テープ等、任意固定手段により着脱可能に固定される。
【００１８】
又、係止具６は常時は側壁４ａの孔（図示せず）内に設けた弾性体（図示せず）により外側方へ付勢されて突出しており、上方から押圧力を受けた時に、付勢力に抗して側壁４ａ内に没入されるよう上面に外側方に向けた湾曲した下方傾斜部６ａが形成されると共に、下面は水平部６ｂに形成され、押圧力が解除された時に再び突出する出没可能な突出体に形成されている。
尚、係止具６はかかる構成のものに限定されるものではない。
【００１９】
次に、枠体５は台板４の外側に嵌合する孔７を内側に有する方形の四方の枠板８に形成されている。
この枠体５は、枠板８の厚さが台板４より薄く、枠体５が台板４の外側に嵌合した時に、枠板８の上面が係止具６の下面の水平部６ｂに係止される厚さに形成され、台板４は枠体５よりも高くなっている。
【００２０】
又、枠体５の一方の面（台板４への嵌合時に下面となる側の面）の一方の対向する枠板８に、この枠板８の長手方向に直交して一定の間隔をおいて溝９が両側に対向して設けられている。
この溝９の幅は、テープ形状の被印刷物３の両端部が嵌合するのに適合する幅となっている。
【００２１】
又、溝９内に針１０が突設されている。針１０の長さは枠板８の板面よりも突出しなければよく、又針１０の数は限定されるものではないが、１〜２本程度で十分である。
【００２２】
尚、枠体５の台板４への嵌合は溝９を有する面が下面となるように、かつ溝９を有しない対向する枠板８が係止具６に係止されるように台板４の上方より嵌合すれば、枠板８の下面が係止具６の上面の下方傾斜部６ａを押圧し、係止具６を台板４の側壁４ａ内に引っ込め、更に枠体５を下げ、係止具６の下方に位置すると押圧力が解除され、枠板８の上面に側方より突出して枠板８を押さえ、枠体５を台板４に固定する。又、枠体５を台板４より外す時は、係止具６を指で押して引っ込めて取り外す。
又、台板４は被印刷物３の長手方向がプリントヘッド（図示せず）の往復移動する方向と平行となるようにフラットベッド２上に配設される。
【００２３】
次に、被印刷物３は織地、編地等の製品で、フラットベッド２上で位置決め固定して印刷可能な一定長のサイズのファスナー、布製テープ等のテープ形状のものが対象となるが、テープ形状の長さ及び幅が異なれば、それに適合するサイズの枠体５及び溝９が形成された枠体５を使用する。
【００２４】
次に、図６は被印刷物３が方形の場合の枠体５の台板４への嵌合時に下面となる側の斜視図を示すものであって、この下面の一方の対向する枠板８の長手方向に延長してフラットな凹面１１が形成されている。
そして、凹面１１に針１０が所定の間隔をおいて対向して両側に突設されている。この針１０に方形の被印刷物３の両端部を刺して被印刷物３を枠体５に固定する。
勿論、被印刷物３がテープ形状であっても、対向する両側の針１０に両端部を固定して使用可能である。
【００２５】
以上、本発明を実施形態に基づき具体的に説明したが、本発明は上記実施形態に限定されるものではない。
【００２６】
【発明の効果】
本発明に係る固定具によれば、枠体に取り付けられた被印刷物は、枠体の台板への嵌合時に、台板の存在により枠体に固定された両端部の方向に引っ張られ張力を付与されるので、台板の上面に緊張状態で当接し、たるみが生じることはなく、印刷時にプリントヘッドを被印刷物に近接でき、鮮明で正確な絵柄等の印刷が可能となる。
又、テープ形状の被印刷物では複数本を並べて取り付けられるので、各々が同一の大きさの張力を付与され、同一状態で緊張し、したがって、印刷された製品が不揃いになることが防止される。
【００２７】
又、印刷終了後、同じサイズの被印刷物を新たに印刷する場合、台板はそのままフラットベッド上に設置しておけば、再度被印刷物の位置決めをする必要がなく、新たに被印刷物を取り付けた枠体を台板に嵌合するだけでよいので、作業能率が向上する。
又、被印刷物がテープ形状の場合は、複数本を一緒に取り付けることができるので、従来のように一本ずつ間隔を測って接着用テープでフラットベッドに取り付ける手数が省かれる。
更に、印刷終了後、熱処理工程又は蒸し工程終了まで枠体に被印刷物を取り付けたままで作業ができるので、従来のように印刷後、被印刷物を熱処理工程又は蒸し工程用の枠体に取り付ける必要がなく、作業能率が格段に向上し得るものである。
【図面の簡単な説明】
【図１】本発明固定具の一実施の形態を示す斜視図である。
【図２】本発明固定具の枠体に被印刷物を取り付けた斜視図である。
【図３】図２の一部省略した拡大断面図である。
【図４】本発明固定具の枠体を台板に固定した斜視図である。
【図５】本発明固定具をインクジェットプリンタに設置した斜視図である。
【図６】本発明固定具の枠体の他の実施の形態を示す斜視図である。
【符号の説明】
１  インクジェットプリンタ
２  フラットベッド
３  被印刷物
４  台板
５  枠体
６  係止具
７  孔
８  枠板
９  溝
１０  針
１１  凹面
【図１】
2005022845.tif 000003
【図２】
2005022845.tif 000004
【図３】
2005022845.tif 000005
【図４】
2005022845.tif 000006
【図５】
2005022845.tif 000007
【図６】
2005022845.tif 000008